(57)【特許請求の範囲】
【請求項１】
エレベータの最下階出入口からピット内部に出入りする際に使用するピット梯子を収納するためのエレベータのピット梯子収納装置において、前記ピッチ内に設けられガイドレールの背面に横方向に取り付けられた腕部材と、前記腕部材に取り付けられ前記ピット梯子の踏段が掛けられてピット梯子を縦方向に縣架するピット梯子受け板とを備え、前記ピット梯子受け板は、断面がＬ字状に形成され、前記ピット梯子の収納時又は取り外し時に前記ピット梯子の踏段を案内するそり部を前記ピット梯子受け板の上部に設けたことを特徴とするエレベータのピット梯子収納装置。
【請求項２】
前記ピット梯子が収納されたとき前記ピット梯子の横方向の移動を阻止するためのストッパー部材を前記ピット梯子受け板の横方向の両側に設けたことを特徴とする請求項１に記載のエレベータのピット梯子収納装置。
【請求項３】
前記ピット梯子が収納されたとき前記ピット梯子の上方向の移動を阻止するためのストッパー部材を前記ピット梯子受け板の上部に着脱可能に設けたことを特徴とする請求項１に記載のエレベータのピット梯子収納装置。
【発明の詳細な説明】
【０００１】
【発明の属する技術分野】
本発明は、昇降路のピットに降りる際に使用するピット梯子を収納するエレベータのピット梯子収納装置に関する。
【０００２】
【従来の技術】
一般に、エレベータの点検のために、昇降路の最下部のピットに降りる際にはピット梯子が使用される。通常、そのピット梯子は昇降路の壁に固定で設けられている。図５は、昇降路の最下部におけるピットの平面図である。
【０００３】
かご１が昇降する昇降路には、かご１の昇降を案内するガイドレール２が垂直に立設されており、かご１の立枠３の上下にかご用ガイド装置４が設けられている。また、カウンタウエイト５の昇降を案内するカウンタウエイト用ガイドレール６も垂直に立設されている。
【０００４】
一方、ピット梯子７は、かご１と昇降路壁８との間のクリアランスＡ、カウンタウエイト５と昇降路壁８との間のクリアランスＢ内で、最下階のホール面からピット床面との間に設けられている。このピット梯子７は建屋側の壁８に溶接等により固定されて設けられ、外れないようになっている。
【０００５】
そして、ピット内点検時には、点検作業員は最下階のホールシル９からピット梯子７に乗り移り、ピット梯子７を伝ってピット床面に降りていた。
【０００６】
【発明が解決しようとする課題】
ところが、エレベータの設置上の要請から、昇降路平面寸法は小さくすることが望まれており、昇降路平面寸法を小さくした場合には、ピット梯子７の設置面積が確保できなくなる。その場合には、ピット梯子を機械室に収納するようにしているが、ピット内の点検時にはピット梯子を機械室から最下階ホール前まで移動させる必要がある。
【０００７】
本発明の目的は、ピット梯子の収納を効率よく昇降路内に行えるエレベータのピット梯子収納装置を提供することである。
【０００８】
【課題を解決するための手段】
請求項１の発明に係るエレベータのピット梯子収納装置は、エレベータの最下階出入口からピット内部に出入りする際に使用するピット梯子を収納するためのエレベータのピット梯子収納装置において、前記ピッチ内に設けられガイドレールの背面に横方向に取り付けられた腕部材と、前記腕部材に取り付けられ前記ピット梯子の踏段が掛けられてピット梯子を縦方向に縣架するピット梯子受け板とを備え、前記ピット梯子受け板は、断面がＬ字状に形成され、前記ピット梯子の収納時又は取り外し時に前記ピット梯子の踏段を案内するそり部を前記ピット梯子受け板の上部に設けたことを特徴とする。
【０００９】
請求項１の発明に係るエレベータのピット梯子収納装置では、ピット梯子を収納するときは、ガイドレールの背面の横方向に取り付けられた腕部材の断面がＬ字状に形成されたピット梯子受け板にピット梯子の踏段を掛け、ピット梯子を縦方向に縣架する。また、ピット梯子の収納時又は取り外し時には、ピット梯子受け板の上部に設けられたそり部により、ピット梯子の踏段を案内する。
【００１４】
請求項２の発明に係るエレベータのピット梯子収納装置は、請求項１の発明において、前記ピット梯子が収納されたとき前記ピット梯子の横方向の移動を阻止するためのストッパー部材を前記ピット梯子受け板の横方向の両側に設けたことを特徴とする。
【００１５】
請求項２の発明に係るエレベータのピット梯子収納装置では、請求項２の発明において、ピット梯子が収納されたとき、ストッパー部材によりピット梯子の横方向の移動を阻止する。
【００１６】
請求項３の発明に係るエレベータのピット梯子収納装置は、請求項２の発明において、前記ピット梯子が収納されたとき前記ピット梯子の上方向の移動を阻止するためのストッパー部材を前記ピット梯子受け板の上部に設けたことを特徴とする。
【００１７】
請求項３の発明に係るエレベータのピット梯子収納装置では、請求項１の発明において、ピット梯子が収納されたとき、ストッパー部材によりピット梯子の上方向の移動を阻止する。
【００１８】
【発明の実施の形態】
以下、本発明の実施の形態を説明する。図１は本発明の基本構成に係るエレベータのピット梯子収納装置の斜視図である。
【００１９】
図１において、昇降路の最下部におけるピット内部のガイドレール２、６の背面には、横方向に腕部材１０がレールクリップ１１により取り付けられている。そして、その腕部材１０にはピット梯子受け板１２が取り付けられ、ピット梯子７の踏段１３が掛けられてピット梯子７を縦方向に縣架するようになっている。このピット梯子受け板１２は断面がＬ字状に形成され、ピット梯子７の踏段１３を掛け易くしている。
【００２０】
このように、ピット梯子収納装置は腕部材１０とピット梯子受け板１２とから構成され、ピット梯子７の踏段１３をピット梯子受け板１２に掛けて、ピット梯子７を収納する。
【００２１】
すなわち、腕部材１０は、かご側ガイドレール２あるいはカウンタウエイト用ガイドレール６のホール側背面に、例えばレールクリップ１１で固定されており、ピット梯子受け板１２にピット梯子７を縦方向の上部から降ろし、ピット梯子７の踏段１３をピット梯子受け板１２に突き当てて装着する。これにより、ガイドレール２、６の背面にピット梯子７を着脱可能に収納することができる。
【００２２】
ピット梯子７を収納するときは、ガイドレール２、６の背面の横方向に取り付けられた腕部材１０のピット梯子受け板１２にピット梯子７の踏段１２を掛け、ピット梯子７を縦方向に縣架する。一方、ピット梯子７の使用時には、ピット梯子７をピット梯子受け板１２から取り外し、ホールシル９にピット梯子７を立て掛けピット内に降りることができる。これにより、ピット梯子７の設置スペースを縮小できるので、ピット梯子７を昇降路内に収納することができる。
【００２３】
次に、本発明の第１の実施の形態を説明する。図２は本発明の第１の実施の形態に係るエレベータのピット梯子収納装置の斜視図である。この第１の実施の形態は、図１に示した本発明の基本構成に対し、ピット梯子受け板１２の上部にそり部１４を追加して設けたものである。
【００２４】
図２において、ピット梯子受け板１２の上部にはそり部１４が設けられ、ピット梯子７を縦方向だけでなく斜め方向からも取り外しすることができるようにしている。すなわち、そり部１４は、ピット梯子７の収納時又は取り外し時に、縦方向だけでなく斜め方向から挿入された場合にも、ピット梯子７の踏段１３を案内する。これにより、ピット梯子７の着脱が容易に行え作業性が向上する。
【００２５】
次に、本発明の第２の実施の形態を説明する。図３は本発明の第２の実施の形態に係るエレベータのピット梯子収納装置の斜視図である。この第２の実施の形態は、図１に示した本発明の基本構成に対し、ピット梯子受け板１２の横方向の両側にストッパー部材１５ａ、１５ｂを追加して設けたものである。
【００２６】
図３において、ピット梯子受け板１２の横方向の両側には、それぞれストッパー部材１５ａ、１５ｂが設けられ、ピット梯子７が収納されたとき、ピット梯子７の横方向の移動を阻止する。これにより、振動等でピット梯子７が左右に揺れた場合であっても、ピット梯子７がピット梯子受け板１２から外れて落下するのを防ぐことができる。
【００２７】
次に、本発明の第３の実施の形態を説明する。図４は本発明の第３の実施の形態に係るエレベータのピット梯子収納装置の斜視図である。この第３の実施の形態は、図１に示した本発明の基本構成に対し、ピット梯子受け板１２の上部にストッパー部材１６を追加して設けたものである。
【００２８】
図４において、ストッパー部材１６は、ピット梯子７が収納された後にピット梯子受け板１２の上部に取り付けられる。そして、ピット梯子７を取り外す場合には、ストッパー部材１６を取り外してからピット梯子７を取り出すことになる。従って、ストッパー部材１６はピット梯子受け板１２に着脱自在に取り付けられる。
【００２９】
これにより、ピット梯子７が振動等で上下に揺れ、ピット梯子７が飛び上がった場合であっても、ストッパー部材１６で上方向の移動を阻止できるので、ピット梯子７がピット梯子受け板１２から外れて落下するのを防止できる。
【００３０】
【発明の効果】
以上のように本発明によれば、昇降路平面の寸法を小さくした場合であっても、ピット梯子を昇降路内に設置することができる。また、ピット梯子受け板の上部にそり部を設けた場合には、ピット梯子を縦方向だけでなく斜め方向からも取外しすることができ、ピット梯子を容易に取外しできる。また、ピット梯子受け板にストッパー部材を設けた場合には、地震や振動によりピット梯子が外れて落下しないようにできる。
【図面の簡単な説明】
【図１】本発明の基本構成に係るエレベータのピット梯子収納装置の斜視図。
【図２】本発明の第１の実施の形態に係るエレベータのピット梯子収納装置の斜視図。
【図３】本発明の第２の実施の形態に係るエレベータのピット梯子収納装置の斜視図。
【図４】本発明の第３の実施の形態に係るエレベータのピット梯子収納装置の斜視図。
【図５】昇降路の最下部におけるピットの平面図。
【符号の説明】
１ かご ２ ガイドレール ３ 立枠 ４ かご用ガイド装置 ５ カウンタウエイト ６ カウンタウエイト用ガイドレール ７ ピット梯子 ８ 壁９ ホールシル １０ 腕部材 １１ レールクリップ １２ ピット梯子受け板 １３ 踏段 １４ そり部 １５、１６ ストッパー部材
【図１】
0004330216.tif 000002
【図２】
0004330216.tif 000003
【図３】
0004330216.tif 000004
【図４】
0004330216.tif 000005
【図５】
0004330216.tif 000006